(57)【特許請求の範囲】
【請求項１】
軸方向に伸縮自在に設けられた支柱と、
前記支柱の端部に設けられて該支柱の伸長時に設置対象の支持面に密着可能で、かつ、該支柱の軸心を中心として該支柱に対して回転自在に設けられている固定部材と、
を備え、
前記固定部材は、平面視で短辺と長辺とを有する略長方形状をなしており、前記短辺を形成する第１面と、前記長辺を形成する第２面と、略長方形状の角部を切り落とすように斜めに形成された第３面と、を有し、
前記支柱の軸心と前記第３面との距離は、前記軸心と前記第２面との距離より長く、かつ前記軸心と前記第１面との距離より短い、
突っ張り棒。
【請求項２】
上下方向に沿うように、互いに水平方向に離間して設置される複数の請求項１に記載の突っ張り棒と、
各々の前記突っ張り棒から突出するように設けられて、物干し竿が載置される竿受け部材と、
を備える突っ張り物干し。
【請求項３】
前記竿受け部材には、下方に凹むように物干し竿を載置可能な円弧状の凹状溝が形成され、
前記凹状溝内の下部中央には、下方に凹むように、円弧状の小径溝がさらに形成されている請求項２に記載の突っ張り物干し。
【発明の詳細な説明】
【技術分野】
【０００１】
本発明は、突っ張り棒、及び、これを備える突っ張り物干しに関する。
【背景技術】
【０００２】
従来から、天井面と床面との間にわたって設置され、上端部に設けられた固定部材から天井面へ、下端部に設けられた固定部材から床面に押圧力を作用させることで設置位置が固定される突っ張り棒が知られている。
【０００３】
そして、例えば特許文献１に開示されているように、間隔をあけて突っ張り棒を設置し、これら突っ張り棒同士の間にわたって棒を設けて洗濯物等を掛けるようにした突っ張り物干しも知られている。
【先行技術文献】
【特許文献】
【０００４】
【特許文献１】特開平９−３０３３６６号公報
【発明の概要】
【発明が解決しようとする課題】
【０００５】
ところで、例えばマンションなどの集合住宅では、ベランダの窓付近に洗濯物を干すため、例えば窓枠等に突っ張り物干しを設置したいという要望がある。
しかしながら、従来の突っ張り棒を用いた物干しでは、例えば、窓枠上に突っ張り棒の上下端部に設けられた固定部材を設置しようとすると、窓枠の幅寸法によっては窓枠から固定部材がはみ出してしまい、突っ張り棒を設置できないという事態が生じる。このような問題点について改善が期待されていた。
【０００６】
そこで本発明では、設置場所によらずに容易に設置が可能な突っ張り棒、及びこれを備えた突っ張り物干しを提供する。
【課題を解決するための手段】
【０００７】
即ち、本発明の第一の態様に係る突っ張り棒は、軸方向に伸縮自在に設けられた支柱と、前記支柱の端部に設けられて該支柱の伸長時に設置対象の支持面に密着可能で、かつ、該支柱の軸心を中心として該支柱に対して回転自在に設けられている固定部材と、を備え、前記固定部材は、平面視で短辺と長辺とを有する略長方形状をなしており、前記短辺を形成する第１面と、前記長辺を形成する第２面と、略長方形状の角部を切り落とすように斜めに形成された第３面とを有する。
前記支柱の軸心と前記第３面との距離は、前記軸心と前記第２面との距離より長く、かつ前記軸心と前記第１面との距離より短い。
【０００８】
このような発明によれば、支柱の端部に位置する固定部材に、支柱の軸心からの距離が異なる第１面、第２面、及び第３面が形成されている。よって、固定部材を支柱に対して回転させて、設置対象の支持面の縁部に固定部材の第１面、第２面、及び第３面のいずれかの面を沿うように配置することで、支持面の幅寸法にあわせて固定部材の幅寸法を少なくとも３段階に設定でき、支持面上からはみ出さずに固定部材を設置することができる。
【０００９】
また、本発明の第二の態様に係る突っ張り物干しは、上下方向に沿うように、互いに水平方向に離間して設置される複数の上記第一の態様の突っ張り棒と、各々の前記突っ張り棒から突出するように設けられて、物干し竿が載置される竿受け部材と、を備えている。
【００１０】
このような発明によれば、上記の突っ張り棒を備えていることで、固定部材を支柱に対して回転させて、設置対象の支持面の縁部に固定部材の第１面、第２面、及び第３面のいずれかの面を沿うように配置することで、支持面の幅寸法にあわせて固定部材の幅寸法を少なくとも３段階に設定でき、支持面上からはみ出さずに固定部材を設置することができる。
この結果、例えば幅寸法の小さい窓枠等の設置対象にも容易に突っ張り物干しを設置できる。
【００１１】
また、本発明の第三の態様に係る突っ張り物干しでは、上記第二の態様における前記竿受け部材には、下方に凹むように物干し竿を載置可能な円弧状の凹状溝が形成され、前記凹状溝内の下部中央には、下方に凹むように、円弧状の小径溝がさらに形成されていてもよい。
【００１２】
このような発明によれば、竿受け部材において、物干し竿を載置可能な円弧状の凹状溝と、該凹状溝内の下部中央に位置して該物干し竿の径より小さい径を有する円弧状の小径溝とが設けられているので、凹状溝内に物干し竿を載置した場合に、該物干し竿が小径溝の縁部に当接される。これを断面形状で見た場合には、凹状溝内に収容された物干し竿が、小径溝の縁部で、２箇所で線接触されることになるので、該物干し竿を安定した状態で設置することができる。
【発明の効果】
【００１３】
本発明の突っ張り棒、及び、突っ張り物干しによれば、上記の固定部材を設けたことで設置場所によらずに容易に設置が可能である。
【図面の簡単な説明】
【００１４】
【図１】本発明の実施形態に係る突っ張り物干しを窓枠に設置した場合の斜視図である。
【図２】本発明の実施形態に係る突っ張り物干しの詳細を示す正面図である。
【図３】本発明の実施形態に係る突っ張り物干しを斜め下方から見た斜視図である。
【図４】本発明の実施形態に係る突っ張り物干しの固定部材を拡大して示す斜視図である。
【図５】本発明の実施形態に係る突っ張り物干しの固定部材の短辺を垂直支持面に沿わせた場合の断面図である。
【図６】本発明の実施形態に係る突っ張り物干しの固定部材の長辺を垂直支持面に沿わせた場合の断面図である。
【図７】本発明の実施形態に係る突っ張り物干しの固定部材の傾斜辺を垂直支持面に沿わせた場合の断面図である。
【図８】本発明の実施形態に係る突っ張り物干しの竿受け部材を示す斜視図である。
【図９】本発明の実施形態に係る突っ張り物干しの竿受け部材の凹状溝を拡大して示す斜視図である。
【図１０】本発明の実施形態に係る突っ張り物干しの竿受け部材の凹状溝内に形成された小径溝を示す図である。
【図１１】本発明の実施形態の変形例に係る突っ張り物干しの竿受け部材を示す斜視図である。
【発明を実施するための形態】
【００１５】
本発明の実施形態について図１から図１１を参照して説明する。
図１に示すように、突っ張り物干し１００は、上下方向に沿うように設置される一対の突っ張り棒１１と、各々の突っ張り棒１１から突出するように設けられて物干し竿Ｐが載置される竿受け部材１２と、を備える。
【００１６】
一対の突っ張り棒１１は、互いに水平方向に離間して配置されている。
各々の突っ張り棒１１は、図２から図４に示すように、軸方向に伸縮自在に設けられた支柱１３と、支柱１３の端部位置に設けられ、かつ支柱１３の伸長時に設置対象の床面、天井面等の水平支持面Ｈ（Ｈ１，Ｈ２）に密着可能な固定部材１４と、を有する。
【００１７】
支柱１３は一方が他方に挿入された２本のパイプ部材１５を有し、これらパイプ部材１５の重なり部分に設置された止めリング１６の操作により、パイプ部材１５同士の重なり部分の長さが調節され、支柱１３の伸縮が可能となっている。
【００１８】
固定部材１４は、支柱１３の軸方向の両端部に設置されているが、図２に示すように、そのうちの一方の固定部材１４（図では下側の固定部材１４）のみが、回転支持機構１８により、支柱１３の軸心Ｏを中心として矢印（イ）の方向に支柱１３に対して相対回転自在に設けられている。また、他方の固定部材１４（図では上側の固定部材１４）は支柱１３に相対回転不能に固定されて設けられている。しかし、これに限定されず、上側の固定部材１４についても回転支持機構１８を設けて、双方の固定部材１４を支柱１３に対して矢印（イ）方向に相対回転自在としてもよい。
【００１９】
固定部材１４は、図３に示すように、平面視で長方形の形状に形成されている。
そして、支柱１３のパイプ部材１５を伸長させた場合に、支柱１３の上端部に位置する固定部材１４の上面１４Ａが天井面となる水平支持面Ｈ１に密着し、また、支柱１３の下端部に位置する固定部材１４の下面１４Ｂが床面となる水平支持面Ｈ２に密着する。
【００２０】
また、固定部材１４の側部には、図５から図７に示すように、水平支持面Ｈに交差する窓枠、壁等の垂直支持面Ｗ（水平支持面Ｈの縁部）に沿って配置可能で、支柱１３の軸心Ｏとの間の水平方向の距離（Ｌ，Ｓ，Ｍ）が異なる複数の面２１，２２，２３が形成されている。ここで、面２１，２２，２３と軸心Ｏとの距離とは、軸心Ｏから延びるとともに面２１，２２，２３（または面２１，２２，２３を含む面）と直交する仮想線の長さを示す。
【００２１】
具体的には、第１面２１は、図５に示すように、長方形をなす固定部材１４の短辺を形成する面であって、支柱１３の軸心Ｏとの間の水平方向の距離（符号Ｌで示す）を比較的大きく設定可能となっている。
【００２２】
第２面２２は、図６に示すように、長方形をなす固定部材１４の長辺を形成する面であって、支柱１３の軸心Ｏとの間の水平方向の距離（符号Ｓで示す）を、距離Ｌよりも小さく設定可能となっている。
【００２３】
第３面２３は、図７に示すように、長方形をなす固定部材１４の短辺及び長辺の角部を面取りするように斜めに形成されたものである。第３面２３は、支柱１３の軸心Ｏとの間の水平方向の距離（符号Ｍで示す）を、距離Ｓより大きくかつ距離Ｌより小さくなる中間値に設定可能となっている。
【００２４】
本実施形態では、面２１，２２，２３同士の間の接続部分は角の無い丸みを帯びた形状をなしている。即ち、Ｒ面取りされている。
【００２５】
竿受け部材１２は、図２及び図３に示すように支柱１３に設けられた高さ調整部材１７により支柱１３における上下位置が調整される。
【００２６】
竿受け部材１２には、図８から図１０に示すように、物干し竿Ｐを載置可能に、上面から下方に凹むように円弧状の内面を有する凹状溝３１が形成されている。
さらに、凹状溝３１内の下部中央には、凹状溝３１の内面から下方に凹む円弧状の小径溝３２が形成されている。小径溝３２の形成位置は、物干し竿Ｐを凹状溝３１に載置した際に、物干し竿Ｐが自然に重力によって配置される位置であるとよい。
【００２７】
以上説明した本実施形態の突っ張り物干し１００によれば、突っ張り棒１１の支柱１３の端部に位置する固定部材１４の側部に、窓枠、壁等の設置対象の垂直支持面Ｗに沿って配置可能で、かつ、支柱１３の軸心Ｏからの距離が異なる複数の面２１，２２，２３が形成されている。そして、軸心Ｏを中心として固定部材１４を矢印（イ）方向に回転させて、該固定部材１４の面２１，２２，２３の一つを適宜選択することで、支柱１３との間の距離（Ｌ，Ｓ，Ｍ）を少なくとも３段階の複数段階に設定可能となる。即ち、各突っ張り棒１１において、支柱１３と面２１，２２，２３との間の距離を、「Ｌ，Ｌ」又は「Ｓ，Ｓ」又は「Ｍ，Ｍ」となるように設定することが可能となる。
【００２８】
従って、本実施形態では、面２１，２２，２３のうちいずれかを垂直支持面Ｗに沿って配置することで、例えば水平支持面Ｈの幅寸法に応じて面２１，２２，２３のうちのいずれを垂直支持面Ｗに沿わせるかを選択することで、例えば水平支持面Ｈの幅寸法の小さい窓枠等の設置対象にも容易に突っ張り物干しを設置でき、突っ張り物干し１００を設置場所によらず、容易に設置できる。
【００２９】
また、本実施形態に示される突っ張り物干し１００では、竿受け部材１２において、物干し竿Ｐを載置可能な円弧状の凹状溝３１と、該凹状溝３１内の下部中央に位置して該物干し竿Ｐの径より小さい径を有する円弧状の小径溝３２とが設けられている。これにより、本実施形態の突っ張り物干し１００では、凹状溝３１内に物干し竿Ｐを載置した場合に、該物干し竿Ｐの外周面が小径溝３２の縁部３３に当接されることになる。
【００３０】
これにより、本実施形態の突っ張り物干し１００では、例えば図１０に示すように、凹状溝３１の半径Ｒ１は物干し竿Ｐの半径Ｒ２より大きく設定され、また、円弧状の小径溝３２の半径Ｒ３は物干し竿Ｐの半径Ｒ２より小さく設定されている場合、即ち「半径Ｒ１＞半径Ｒ２＞半径Ｒ３」となるように凹状溝３１、物干し竿Ｐ、小径溝３２の寸法が設定されている場合には、凹状溝３１内に収容された物干し竿Ｐが、小径溝３２の縁部３３で、２箇所で線接触されることになる。即ち物干し竿Ｐの延在方向に直交する断面を見た場合には、凹状溝３１内に収容された物干し竿Ｐが、小径溝３２の縁部３３で、２箇所で支持されることになる。従って物干し竿Ｐがガタつくことなく、物干し竿Ｐを安定した状態で突っ張り物干し１００に設置することができる。
【００３１】
以上、本発明の実施形態について詳細を説明したが、本発明の技術的思想を逸脱しない範囲内において、多少の設計変更も可能である。
例えば、図１１に示すように、竿受け部材１２に代えて竿受け部材４２を設けてもよい。具体的にはこの竿受け部材４２には、物干し竿Ｐを挿通可能に貫通する断面円形状をなす貫通孔４５が形成されている。貫通孔４５は突っ張り棒１１から突出する方向に離間して、先端側と基端側の２箇所に形成されている。各々の貫通孔４５の下部中央には、小径溝３２と同様の小径溝４７が形成されている。小径溝４７の形成位置は、物干し竿Ｐを貫通孔４５に挿通させて配置した際に、物干し竿Ｐが自然に重力によって配置される位置であるとよい。
【００３２】
また、本実施形態に示される突っ張り物干し１００は、２本１組となった突っ張り棒１１を備えているが、これに限定されず、３本以上の突っ張り棒１１を備えていてもよい。
【００３３】
また、竿受け部材１２，４２は、各々の突っ張り棒１１の上下に離間して複数（図１参照）設けてもよいし、各々の突っ張り棒１１に一つずつ設けてもよい（図２参照）。
【００３４】
また、固定部材１４の面は、４つ以上設けてもよい。即ち、第３面２３とは傾斜角度の異なる面を固定部材１４がさらに有していてもよい。
【００３５】
また、固定部材１４の第１面２１と第３面２３、又は、第２面２２と第３面２３とでは、互いに軸心Ｏからの距離が同じであってもよい。
【００３６】
また、上記の突っ張り棒１１は、例えば突っ張り物干し１００ではなく、他の用途に用いてもよい。例えば突っ張り棒１１を水平方向に延在するように設置して、洋服を掛ける用途に用いてもよいし、カーテンレールや棚等の部材に用いてもよい。
【００３７】
また、小径溝３２が形成された凹状溝が設けられた竿受け部材１２、及び、小径溝４７が形成された貫通孔４５が設けられた竿受け部材４２を、上記の突っ張り棒１１以外の棒状部材（例えば伸縮しない棒）に用いてもよい。
【符号の説明】
【００３８】
１１…突っ張り棒
１２…竿受け部材
１３…支柱
１４…固定部材
１４Ａ…上面
１４Ｂ…下面
１５…パイプ部材
１６…止めリング
１７…高さ調整部材
１８…回転支持機構
２１…第１面
２２…第２面
２３…第３面
３１…凹状溝
３２…小径溝
３３…縁部
４２…竿受け部材
４５…貫通孔
４７…小径溝
１００…突っ張り物干し
Ｈ（Ｈ１，Ｈ２）…水平支持面
Ｗ…垂直支持面
Ｐ…物干し竿
Ｏ…軸心
【図１】
0006722025.tif 000002
【図２】
0006722025.tif 000003
【図３】
0006722025.tif 000004
【図４】
0006722025.tif 000005
【図５】
0006722025.tif 000006
【図６】
0006722025.tif 000007
【図７】
0006722025.tif 000008
【図８】
0006722025.tif 000009
【図９】
0006722025.tif 000010
【図１０】
0006722025.tif 000011
【図１１】
0006722025.tif 000012